(57)【特許請求の範囲】
【請求項１】
下枠と、前記下枠に取り付けられるオペレータハンドルと、前記下枠および前記オペレータハンドル間に配置された下枠カバー材とを備える建具の止水構造であって、
前記下枠は、前記オペレータハンドルが取り付けられる見付け面と、前記見付け面の下端部から見込み方向に延長されて躯体に固定される見込み面とを備え、
前記下枠カバー材は、前記下枠の見付け面の屋内面を被覆する見付被覆部と、前記下枠の見込み面の上面を被覆する見込被覆部とを備え、
前記下枠の見付け面には前記オペレータハンドルが取り付けられるハンドル取付穴が形成され、
前記下枠の見込み面には前記下枠を躯体に固定するために用いられる固定穴が形成され、
前記下枠と前記下枠カバー材との間において、前記ハンドル取付穴の下端の高さ位置から前記固定穴の見付け面側の端縁位置までの間に水密材を設けた
ことを特徴とする止水構造。
【請求項２】
請求項１に記載の止水構造において、
前記水密材は、前記見付け面と前記見込み面とが交差する角部に密着されている
ことを特徴とする止水構造。
【請求項３】
請求項１または請求項２に記載の止水構造において、
前記水密材は、前記見込み面と前記見込被覆部との間に配置された水平部を少なくとも備える
ことを特徴とする止水構造。
【請求項４】
請求項１から請求項３のいずれか一項に記載の止水構造において、
前記水密材は、前記見込み面と前記見込被覆部との間に配置された水平部と、前記見付け面と前記見付被覆部との間に配置された垂直部とを備えて断面略Ｌ字状に形成されている
ことを特徴とする止水構造。
【請求項５】
請求項１から請求項４のいずれか一項に記載の止水構造において、
前記下枠の端部は前記建具の縦枠に接合され、
前記下枠および縦枠の接合部には接合用水密材が配置され、
前記水密材の端面は、前記接合用水密材に当接されている
ことを特徴とする止水構造。
【請求項６】
請求項１から請求項５のいずれか一項に記載の止水構造において、
前記下枠または前記下枠カバー材の少なくとも一方には、前記水密材を押圧する突起が形成されている
ことを特徴とする止水構造。
【請求項７】
上枠、下枠、左右の縦枠を有する枠体と、
枠体内に開閉可能に設けられた障子と、
前記下枠に取り付けられて前記障子を開閉操作するオペレータハンドルと、
前記下枠および前記オペレータハンドル間に配置された下枠カバー材とを備える建具であって、
前記下枠は、前記オペレータハンドルが取り付けられる見付け面と、前記見付け面の下端部から見込み方向に延長されて躯体に固定される見込み面とを備え、
前記下枠カバー材は、前記下枠の見付け面の屋内面を被覆する見付被覆部と、前記下枠の見込み面の上面を被覆する見込被覆部とを備え、
前記下枠の見付け面には前記オペレータハンドルが取り付けられるハンドル取付穴が形成され、
前記下枠の見込み面には前記下枠を躯体に固定するために用いられる固定穴が形成され、
前記下枠と前記下枠カバー材との間において、前記ハンドル取付穴の下端の高さ位置から前記固定穴の見付け面側の端縁位置までの間に水密材が設けられた
ことを特徴とする建具。
【発明の詳細な説明】
【技術分野】
【０００１】
本発明は、浴室に設けられる窓等における止水構造および建具に関する。
【背景技術】
【０００２】
断熱性能を向上させるために、アルミ形材と樹脂製カバーと組み合わせたアルミ樹脂複合サッシとして、枠体に取り付けた操作ハンドルで障子を開閉するサッシが知られている（例えば特許文献１）。
このサッシでは、下枠の立ち上がり片にハンドル取付穴が加工されており、このハンドル取付穴に操作ハンドルが取り付けられていた。また、下枠のアングル部分には、下枠を躯体に固定するためのネジ穴が形成されていた。
【０００３】
このような操作ハンドル付きのサッシを、浴室窓に取り付けた場合、シャワーなどの水や結露した水が障子の屋内面を流れる場合がある。この場合、前記水は、障子の屋内面から前記下枠の立ち上がり片に流れ、前記ハンドル取付穴から樹脂製カバーとの隙間を介して前記アングル部分に流れ、前記ネジ穴部分から躯体側に浸入する虞がある。
このため、下枠のアングル裏面に水密材を貼り付けて止水処理を行ったり、下枠のアングル裏面側にシーリング材を塗布してシーリングによる止水処理を行っていた。
【先行技術文献】
【特許文献】
【０００４】
【特許文献１】特開２０１１−６９０８６号公報
【発明の概要】
【発明が解決しようとする課題】
【０００５】
しかしながら、アングル裏面に水密材を貼り付ける場合には、水密材の貼付位置がずれると屋内側に水密材が露出して意匠性が低下する虞がある。また、下枠のアングル部に額縁ネジを施工する際に水密材に穴が開くため、別途、シーリング材の先打ち処理などが必要となるという課題がある。
また、シーリング材を設けた場合には、シーリング材の充填に時間が必要となり、さらにシーリング材が硬化するまで養生が必要となり、シーリング材が必要ない箇所にマスキングなどの作業も必要であるため、施工時の工数が増加して作業に時間がかかるという課題がある。
【０００６】
本発明の目的は、施工作業が容易となり、かつ、意匠性の低下も防止できる止水構造および建具を提供することにある。
【課題を解決するための手段】
【０００７】
本発明は、下枠と、前記下枠に取り付けられるオペレータハンドルと、前記下枠および前記オペレータハンドル間に配置された下枠カバー材とを備える建具の止水構造であって、前記下枠は、前記オペレータハンドルが取り付けられる見付け面と、前記見付け面の下端部から見込み方向に延長されて躯体に固定される見込み面とを備え、前記下枠カバー材は、前記下枠の見付け面の屋内面を被覆する見付被覆部と、前記下枠の見込み面の上面を被覆する見込被覆部とを備え、前記下枠の見付け面には前記オペレータハンドルが取り付けられるハンドル取付穴が形成され、前記下枠の見込み面には前記下枠を躯体に固定するために用いられる固定穴が形成され、前記下枠と前記下枠カバー材との間において、前記ハンドル取付穴の下端の高さ位置から前記固定穴の見付け面側の端縁位置までの間に水密材を設けたことを特徴とする。
【０００８】
本発明によれば、下枠と下枠カバー材との間に水密材を設けたので、水密材が外部に露出することがなく、下枠部分の意匠性の低下を防止できる。また、下枠のハンドル取付穴から下枠と下枠カバー材との間に流れた水は、ハンドル取付穴から前記固定穴までの間に設けられた水密材で遮られて止水されるため、前記固定穴から躯体側に流れることを防止できる。
【０００９】
本発明の止水構造において、前記水密材は、前記見付け面と前記見込み面とが交差する角部に密着されていることが好ましい。
水密材が前記角部に密着されていれば、前記見付け面に沿って垂直方向に流れる水と、前記見込み面に沿って水平方向に流れる水との両方向の流れを１つの水密材で止水することができる。
【００１０】
本発明の止水構造において、前記水密材は、前記見込み面と前記見込被覆部との間に配置された水平部を少なくとも備えることが好ましい。
前記水密材が前記見込み面と前記見込被覆部との間に配置された水平部を備えていれば、下枠の端面に設けられた縦枠との接合面を止水する水密材に容易に当接させることができ、止水ラインを連続させることができる。
【００１１】
本発明の止水構造において、前記水密材は、前記見込み面と前記見込被覆部との間に配置された水平部と、前記見付け面と前記見付被覆部との間に配置された垂直部とを備えて断面略Ｌ字状に形成されていることが好ましい。
前記水密材が水平部および垂直部を備えて断面略Ｌ字状に形成されていれば、下枠の前記見付け面と前記見込み面とが交差する角部に水密材を容易に密着させることができる。さらに、水密材が水平部および垂直部を備えているので、前記見付け面に沿って垂直方向に流れる水と、前記見込み面に沿って水平方向に流れる水との両方向の止水性能を向上できる。
【００１２】
本発明の止水構造において、前記下枠の端部は前記建具の縦枠に接合され、前記下枠および縦枠の接合部には接合用水密材が配置され、前記水密材の端面は、前記接合用水密材に当接されていることが好ましい。
下枠と下枠カバー材との間に設けられた水密材を、下枠および縦枠の接合部に設けられる接合用水密材に当接させているので、ハンドル取付穴から流入し、前記水密材で止水された水が、下枠および下枠カバー材の端面から縦枠側に流れた場合に、接合用水密材で止水でき、下枠および縦枠の接合部から躯体側に水が流れることを防止できる。
【００１３】
本発明の止水構造において、前記下枠または下枠カバー材の少なくとも一方には、前記水密材を押圧する突起が形成されていることが好ましい。
下枠や下枠カバー材に突起が形成されていれば、下枠および下枠カバー材間に配置された水密材を前記突起で押圧でき、水密材の位置ずれを防止でき、下枠および下枠カバー材への水密材の密着力を高めることができ、止水性能を向上できる。
【００１４】
本発明の建具は、上枠、下枠、左右の縦枠を有する枠体と、枠体内に開閉可能に設けられた障子と、前記下枠に取り付けられて前記障子を開閉操作するオペレータハンドルと、前記下枠および前記オペレータハンドル間に配置された下枠カバー材とを備える建具であって、前記下枠は、前記オペレータハンドルが取り付けられる見付け面と、前記見付け面の下端部から見込み方向に延長されて躯体に固定される見込み面とを備え、前記下枠カバー材は、前記下枠の見付け面の屋内面を被覆する見付被覆部と、前記下枠の見込み面の上面を被覆する見込被覆部とを備え、前記下枠の見付け面には前記オペレータハンドルが取り付けられるハンドル取付穴が形成され、前記下枠の見込み面には前記下枠を躯体に固定するために用いられる固定穴が形成され、前記下枠と前記下枠カバー材との間において、前記ハンドル取付穴の下端の高さ位置から前記固定穴の見付け面側の端縁位置までの間に水密材が設けられたことを特徴とする。
このような本発明によれば、前記止水構造と同じ効果を奏することができる。
【発明の効果】
【００１５】
本発明の止水構造および建具によれば、施工作業が容易となり、かつ、意匠性の低下も防止できる。
【図面の簡単な説明】
【００１６】
【図１】本発明の実施形態に係る建具である縦すべり出し窓を示す内観姿図。
【図２】前記実施形態に係る縦すべり出し窓の要部を示す断面図。
【図３】前記実施形態に係る縦すべり出し窓の下枠および下枠カバー材の要部を示す断面図。
【図４】前記実施形態に係る縦すべり出し窓の下枠および縦枠の接合部の要部を示す分解斜視図。
【図５】前記実施形態に係る縦すべり出し窓の下枠および縦枠の接合部の要部を示す斜視図。
【図６】本発明の変形例に係る縦すべり出し窓の下枠および下枠カバー材の要部を示す断面図。
【図７】本発明の他の変形例に係る縦すべり出し窓の下枠および下枠カバー材の要部を示す断面図。
【発明を実施するための形態】
【００１７】
［本実施形態の構成］
以下、本発明の実施形態を図面に基づいて説明する。
本実施形態に係る建具である縦すべり出し窓１は、浴室の窓として用いられるものであり、図１に示すように、窓枠２（枠体）と、窓枠２内に配置される障子１０とを備えている。縦すべり出し窓１は、窓枠２に取り付けられたオペレータハンドル２０によって開閉操作されるものである。なお、縦すべり出し窓１は、施錠用のロッキングハンドル１６も設けられている。
【００１８】
障子１０は、上框１１、下框１２（図２参照）、縦框１３，１４およびガラスパネル１５を框組みして構成されている。上框１１、下框１２、縦框１３，１４は、図２に示す下框１２のように、アルミ押出形材からなる屋外部材１２Ａと、合成樹脂製の屋内部材１２Ｂとで構成されている。
【００１９】
［窓枠の構成］
窓枠２は、図１に示すように、上枠３、下枠４および左右の縦枠５，６を枠組みして構成されている。上枠３、縦枠５、６は、アルミ押出形材によって形成され、躯体に取り付けた際に屋内に露出する面には、合成樹脂製の上枠カバー材７、縦枠カバー材８、９が装着されている。
【００２０】
［下枠の構成］
下枠４は、図２に示すように、アルミ押出形材によって形成され、屋内側には、オペレータハンドル２０が取り付けられる見付け面４１と、躯体に固定される見込み面４２とが形成されている。見込み面４２は、見付け面４１の下端部から屋内方向に延長されて形成されており、見付け面４１および見込み面４２は角部４３（コーナー部）において略直交するように連結され、断面略Ｌ字状に構成されている。見付け面４１の上端は、フランジ部４４が連続して形成されている。
【００２１】
図３に示すように、下枠４の見付け面４１において、フランジ部４４に連続する上端部には突条部４１１が形成され、角部４３に近接する下端部近傍には突起４１２が形成されている。突条部４１１および突起４１２は、見付け面４１の長手方向（縦すべり出し窓１の左右方向）の全長に渡って連続して形成されている。また、突起４１２の見付け面４１からの突出寸法は、突条部４１１の突出寸法よりも小さくされている。
見付け面４１において、突条部４１１および突起４１２間には、オペレータハンドル２０を取り付けるためのハンドル取付穴４１５が形成されている。
【００２２】
下枠４の見込み面４２において、屋内側の先端部には突条部４２１が斜め上方に傾斜して突出されている。見込み面４２において突条部４２１の見付け面４１側には突条部４２２が上方に突出され、さらに、突条部４２２の見付け面４１側の角部４３に近接する位置には、突起４２３が形成されている。突条部４２１、４２２および突起４２３は、見込み面４２の長手方向の全長に渡って連続して形成されている。また、突起４２３の見込み面４２からの突出寸法は、突条部４２２，４２１の突出寸法よりも小さくされている。
見込み面４２において、突条部４２１および突条部４２２間には、下枠４を躯体にネジで固定する際に用いられる固定穴４２５が形成されている。固定穴４２５は、下枠４の長手方向において複数箇所に形成され、前記ハンドル取付穴４１５と見込み方向に重ならない位置に形成されている。
【００２３】
［下枠カバー材の構成］
下枠４の屋内露出面である見付け面４１、見込み面４２およびフランジ部４４には、合成樹脂製の下枠カバー材５０が装着されている。下枠カバー材５０は、見付け面４１を被覆する見付被覆部５１と、見込み面４２を被覆する見込被覆部５２と、フランジ部４４を被覆するフランジ被覆部５４とを備えて構成され、下枠４とオペレータハンドル２０との間に配置されている。
見付被覆部５１および見込被覆部５２は、角部５３（コーナー部）において略直交するように連結され、断面略Ｌ字状に構成されている。
【００２４】
見付被覆部５１には、下枠カバー材５０を下枠４に装着した際に、前記ハンドル取付穴４１５と同じ位置で開口するハンドル取付穴５１５が形成されている。
見込被覆部５２には、下枠カバー材５０を下枠４に装着した際に、前記固定穴４２５と同じ位置で開口する固定穴５２５が形成されている。
見込被覆部５２の先端部には、前記突条部４２１と係合する係合部５２１が形成されている。フランジ被覆部５４の下面には、前記フランジ部４４の端部に係合する係合溝部５４１が形成されている。
【００２５】
下枠カバー材５０には、水密材６０が接着されている。水密材６０は、エチレン・プロピレン・ジエンゴム（ＥＰＤＭ）等で構成されたシート材で構成され、下枠カバー材５０の角部５３を中心に折り曲げて、見付被覆部５１および見込被覆部５２に接着することで、断面略Ｌ字状とされている。この水密材６０は、下枠カバー材５０の長手方向（下枠４の幅方向）の全長に渡って配置され、下枠カバー材５０に接着されている。
水密材６０は、見付被覆部５１の見付け面４１に対向する面に接着される垂直部６１と、見込被覆部５２の下面に接着される水平部６２とを備え、垂直部６１および水平部６２は角部６３で連続している。ここで、垂直部６１の上端は、ハンドル取付穴５１５よりも下方に位置するように構成され、水平部６２の屋内側の先端は、固定穴５２５よりも屋外側に位置するように構成されている。
【００２６】
このような水密材６０が接着された下枠カバー材５０を下枠４に取り付けると、図２に示すように、突条部４１１、突条部４２１、突条部４２２が見付被覆部５１、見込被覆部５２に当接する。このため、見付け面４１および見付被覆部５１間と、見込み面４２および見込被覆部５２間にはそれぞれ隙間７１、７２が形成される。この隙間７１、７２部分には、前記水密材６０が配置される。
この際、水密材６０の厚さ寸法は前記隙間７１、７２の寸法よりも大きく設定されているため、水密材６０は圧縮され、下枠４に密着する。すなわち、垂直部６１は見付け面４１に密着し、水平部６２は見込み面４２に密着し、角部６３は角部４３に密着する。
さらに、垂直部６１には見付け面４１の突起４１２が食い込み、水平部６２には見込み面４２の突起４２３が食い込む。このため、特に角部６３は確実に角部４３に密着する。
また、水密材６０の垂直部６１は、ハンドル取付穴４１５、５１５の下端の高さ位置よりも下方に配置され、水密材６０の水平部６２は、固定穴５２５、４２５の見付け面４１側の端縁位置よりも見付け面４１側に配置されている。したがって、水密材６０は、下枠４と下枠カバー材５０との間において、ハンドル取付穴４１５の下端の高さ位置から、固定穴４２５の見付け面４１側の端縁位置までの間に設けられている。
【００２７】
［下枠と縦枠の接合部］
図１および図４，５に示すように、下枠４の両端は、縦枠５，６に接合されている。ここで縦枠５、６は、前述のとおり、合成樹脂製の縦枠カバー材８，９が装着されている。この縦枠カバー材８、９の上下方向の寸法は、縦枠５、６の上下方向の寸法よりも短くされている。このため、縦枠カバー材８の下端は、縦枠５の下端よりも上方に位置している。
一方、下枠４において、見付け面４１、見込み面４２の両端部は切り欠かれており、見付け面４１、見込み面４２の左右方向の長さ寸法は、その他の下枠４部分よりも短くされている。また、下枠カバー材５０の左右方向の長さ寸法は、見付け面４１および見込み面４２と略同じ寸法とされている。このため、下枠４の両端には見付け面４１の屋外側に連続する傾斜された上面部４５が露出している。この上面部には、接合用水密材７０が接着されている。接合用水密材７０は、水密材６０と同様にＥＰＤＭ等で構成された水密材である。
【００２８】
下枠４および縦枠５、６を接合した際に、図５に示すように、縦枠カバー材８、９の下面が前記接合用水密材７０の上面に当接し、接合用水密材７０は下枠４および縦枠カバー材８、９間に挟まれる。
接合用水密材７０の側面は、前記水密材６０の水平部６２の側面に当接している。これにより、水密材６０の止水ラインと、接合用水密材７０の止水ラインが連続する。
【００２９】
このような構成の本実施形態において、前記ハンドル取付穴４１５から隙間７１に水が浸入した場合、隙間７１部分に水密材６０が配置されて塞がれているので、その水が隙間７２に流れることを防止できる。隙間７２に水が流れてこないので、水が固定穴４２５から躯体内に流れることも防止できる。
また、縦枠５、６の縦枠カバー材８、９の表面を伝わって流れてくる水は、下枠４の上面部４５に流れるが、接合用水密材７０が配置されているので、縦枠カバー材８、９の下端および上面部４５の隙間から躯体内に流れることを防止できる。
【００３０】
［本実施形態の効果］
（１）下枠４と下枠カバー材５０との間に水密材６０を設けたので、水密材６０が下枠４や下枠カバー材５０からはみ出して外部に露出することがない。このため、縦すべり出し窓１の意匠性が低下することを防止できる。
（２）下枠４のハンドル取付穴４１５から隙間７１に流入した水は、水密材６０で遮られて止水されるため、隙間７２に流れ込むことを防止でき、固定穴４２５から躯体内に流れることも防止できる。
（３）水密材６０は、垂直部６１および水平部６２を備えて略Ｌ字状に形成されているので、角部６３を角部４３に容易に密着させることができる。このため、見付け面４１に沿って垂直方向に流れる水と、見込み面４２に沿って水平方向に流れる水との両方向の流れを１つの水密材６０で止水することができ、かつ、止水性能も容易に向上できる。
（４）水密材６０は、ＥＰＤＭ製のシートを見付被覆部５１および見込被覆部５２に沿って折曲して接着することで略Ｌ字状に形成できるので、下枠カバー材５０に確実かつ安定して固定することができる。さらに、水密材６０の厚さ寸法のばらつきを少なくできるので、水密材６０を見付け面４１や見込み面４２に確実に密着させることができる。
【００３１】
（５）水密材６０を接合用水密材７０に当接しているので、下枠４における止水ラインを下枠４および縦枠５、６の接合部の止水ラインに接続できる。このため、水密材６０で止水された水が隙間７１を左右方向に流れて隙間７１の端面から縦枠５、６側に流れた際に、接合用水密材７０で止水されて躯体側に流れることを防止できる。
この際、特に水密材６０が水平部６２を備えているので、下枠４の上面部４５に配置される接合用水密材７０との接触面積を増やすことができ、止水ラインを確実に連続させることができる。
（６）見付け面４１および見込み面４２に突起４１２、４２３を形成し、水密材６０に食い込ませているので、水密材６０の位置ずれを防止でき、下枠４に対する水密材６０の密着力を高めることができ、止水性能を向上できる。特に、突起４１２、４２３は、角部４３を挟んだ位置に形成しているので、水密材６０の角部６３を角部４３に確実に当接させることができる。
【００３２】
（７）水密材６０の水平部６２は、固定穴５２５よりも見付被覆部５１側に配置され、固定穴５２５とは外れた位置に配置されているので、固定穴５２５、４２５にネジをねじ込んだ際に、ネジによって水密材６０に穴が開くことを防止できる。このため、水密材６０による止水性能を安定化できる。
（８）さらに、ＥＰＤＭ等で構成された水密材６０を用いているので、シーリング処理を行う場合に比べて、作業時間を短縮することができる。
【００３３】
［変形例］
本発明は、以上の実施形態で説明した構成のものに限定されず、本発明の目的を達成できる範囲での変形例は、本発明に含まれる。
例えば、前記実施形態では、見付け面４１および見込み面４２に水密材６０を押圧する突起４１２、突起４２３を設けていたが、図６に示すように、突起を設けなくてもよい。
【００３４】
また、水密材は前記水密材６０のような略Ｌ字状のものに限らない。例えば、図６に示すように、水平部６２のみを設けた水密材６０Ａを用いてもよい。このような水密材６０Ａにおいても、水密材６０Ａの端部を角部４３に密着させることができ、止水性能を確保できる。
また、水密材としては、図７に示すように、垂直部６１のみを設けた水密材６０Ｂを用いてもよい。このような水密材６０Ｂにおいても、水密材６０Ｂの下端部を角部４３に密着させることができ、止水性能を確保できる。
【００３５】
水密材は、必ずしも角部４３に配置していなくてもよい。例えば、水平部６２のみを有する水密材６０Ａを角部４３から離して配置してもよいし、垂直部６１のみを有する水密材６０Ｂを角部４３から離して配置してもよい。要するに、水密材は、下枠４と下枠カバー材５０との間において、ハンドル取付穴４１５の下端の高さ位置から固定穴４２５の見付け面側の端縁位置までの間に設ければよい。
【００３６】
本発明の止水構造が適用される下枠としては、アルミ押出形材からなる屋外部材および屋内部材を、ウレタン樹脂等の断熱部材で連結して構成されたものでもよい。この場合も、下枠の屋内部材は、オペレータハンドルが取り付けられる見付け面と、見付け面の下端部から見込み方向に延長されて躯体に固定される見込み面とを備え、下枠カバー材は、下枠の屋内部材の見付け面の屋内面を被覆する見付被覆部と、前記下枠の屋内部材の見込み面の上面を被覆する見込被覆部とを備える構成とすればよく、前記実施形態と同じ作用効果を奏することができる。
さらに、前記実施形態では、オペレータハンドル２０を下枠カバー材５０の見付被覆部５１に当接させて下枠カバー材５０を介して下枠４に取り付けていたが、このような構成に限定されない。例えば、下枠カバー材５０にオペレータハンドル２０が挿通される開口や切欠部を形成し、オペレータハンドル２０を直接下枠４に当接させて取り付けてもよい。
【００３７】
本発明の建具は、縦すべり出し窓に限定されない。また、建具は、浴室窓に用いられるものに限定されず、内部結露水が躯体側に浸入することを防止するために一般的な建物の窓に用いてもよい。すなわち、本発明の止水構造は、浴室窓や建物の窓において、オペレータハンドルが取り付けられるハンドル取付穴からシャワーなどの水や結露水などが浸入する可能性がある建具に広く利用できる。
また、接合用水密材７０は、下枠および縦枠の接合構造などに応じて適宜設ければよく、他の止水処理を行ってもよい。
【符号の説明】
【００３８】
１…縦すべり出し窓、２…窓枠、１０…障子、２０…オペレータハンドル、３…上枠、４…下枠、５、６…縦枠、４１…見付け面、４１１…突条部、４１２…突起、４１５…ハンドル取付穴、４２…見込み面、４２１、４２２…突条部、４２３…突起、４２５…固定穴、４３…角部、４４…フランジ部、５０…下枠カバー材、５１…見付被覆部、５１５…ハンドル取付穴、５２…見込被覆部、５２１…係合部、５２５…固定穴、５３…角部、５４…フランジ被覆部、５４１…係合溝部、６０、６０Ａ、６０Ｂ…水密材、６１…垂直部、６２…水平部、６３…角部、７０…接合用水密材、７１、７２…隙間。
【図１】
0006420202.tif 000002
【図２】
0006420202.tif 000003
【図３】
0006420202.tif 000004
【図４】
0006420202.tif 000005
【図５】
0006420202.tif 000006
【図６】
0006420202.tif 000007
【図７】
0006420202.tif 000008